(57)【要約】【課題】扁平な長方体形状の収容物（４）をその横長幅狭な一側面を上向きにした縦置き姿勢で収まり良く収納できるとともに、落下時などに受ける衝撃を緩衝できる包装体１を提供する。【解決手段】保持枠３には、収納部（３３ａ，３４ａ）と、支持脚（３２ａ，３５ｂ）とが設けられている。収納部（３３ａ，３４ａ）は、収容物（４）が前記縦置き姿勢で嵌め入れられる。支持脚（３２ａ，３５ｂ）は、保持枠３を外箱２内の底面板２３から浮かせるために設けられている。【選択図】図３
2018030604.tif 000002
【特許請求の範囲】
【請求項１】
外箱内に保持枠を嵌め入れた構成でかつ前記保持枠に扁平な長方体形状の収容物を収納する構成の包装体であって、
前記保持枠には、前記収容物がその横長幅狭な一側面を上向きにした縦置き姿勢で嵌め入れる孔が設けられており、また、前記外箱内の底面板から離すための支持脚が設けられている、ことを特徴とする包装体。
【請求項２】
請求項１に記載の包装体において、
前記孔は、前記縦置き姿勢の収容物が１つ嵌め入れられる大きさに設定されている、ことを特徴とする包装体。
【請求項３】
請求項１に記載の包装体において、
前記孔は、前記縦置き姿勢の収容物が２つ隣り合わせで嵌め入れられる大きさに設定されている、ことを特徴とする包装体。
【請求項４】
請求項１から３のいずれか１項に記載の包装体において、
前記保持枠は、前後に平行に離隔して対向配置される正面板と背面板との間に、天面板、中間板ならびに底面板が上下方向にそれぞれ平行に離隔して対向配置された構成とされており、
前記孔は、前記天面板および前記中間板にそれぞれ設けられていて、
前記底面板は、前記保持枠を前記外箱内に嵌め入れた状態において前記外箱の底面板から浮いた状態にされる、ことを特徴とする包装体。
【請求項５】
請求項４に記載の包装体において、
前記収容物は、その横長幅広な上面が開口されているとともに、当該開口の周縁に外向きに張り出す鍔部が設けられていて、前記開口が閉塞されており、
前記天面板の孔は、前記収容物の横長幅狭の一側面から見た外形に対応する形状に形成されかつ前記縦置き姿勢にした前記収容物の全体が前記中間板側に通過する状態で嵌め入れられる大きさに形成されており、
前記中間板の孔は、前記縦置き姿勢にした前記収容物の鍔部のみが前記底面板側に通過する状態で嵌め入れられる大きさおよび形状に形成されている、ことを特徴とする包装体。
【請求項６】
請求項４または５に記載の包装体において、
前記天面板の左右両側には左上フラップおよび右上フラップが、また、前記中間板の左右両側には左下フラップおよび右下フラップがそれぞれ折り目を介して連設されており、
前記上下の左フラップおよび右フラップは、前記保持枠を前記外箱内に嵌め入れる際に、前記天面板および前記中間板に対して前記各折り目から上向きに折り曲げられるとともに、当該折り曲げに伴う弾性復元力によって前記外箱の長手方向の一端側の側面板および他端側の側面板に弾力を付与する状態で当接される、ことを特徴とする包装体。
【発明の詳細な説明】
【技術分野】
【０００１】
本発明は、外箱内に保持枠を嵌め入れた構成でかつ前記保持枠に扁平な長方体形状の収容物を収納する構成の包装体に関する。
【背景技術】
【０００２】
従来のこの種の包装体として、例えば特許文献１，２に示すようなものが知られている。
【０００３】
特許文献１には、上面が開放される蓋付きの箱内に、複数個の扁平な長方体形状の収容物を横並びに詰めた状態で収納するということが記載されている。
【０００４】
詳しくは、前記収容物は、その横長幅狭な一側面を上に向けた縦置き姿勢で前記箱内に収納されるようになっている。
【０００５】
特許文献２には、上面が開放される蓋付きの包装用箱内に、バイアル瓶、ツートック、シリンジ、添付文書を含む医療用キットなど、大きさ、形状の異なる複数の物品を収まり良く収納するということが記載されている。
【０００６】
詳しくは、包装用箱の内部空間は、バイアル瓶と、ツートックと、シリンジとをそれぞれ位置決めして収納できるように区画されている。
【０００７】
前記バイアル瓶は、前記包装用箱と一体のレイアウト用仕切りに設けた収納部内に嵌め入れられることにより動きが拘束されるようになっている。また、前記レイアウト用仕切りは、その側壁部分が前記包装用箱の内部空間を狭めるように区画することによって、当該区画された領域に、前記ツートックと前記シリンジとが比較的ゆとりを持つ状態で配置されるようになっている。
【０００８】
なお、前記シリンジは、扁平で上面が開口した長方体形状の胴部の横長幅広な上面開口を開封フィルムで閉塞するようにブリスターパックされた構成になっていて、通常は前記開封フィルムを上に向けた横置き姿勢で取り扱われるようになっている。このブリスターパックされたシリンジは、その横長幅狭な一側面が上に向けられた縦置き姿勢で前記包装用箱内に収納されるようになっている。
【先行技術文献】
【特許文献】
【０００９】
【特許文献１】特開２００７−２１０６３３号公報
【特許文献２】特開２０１４−２３４２３４号公報
【発明の概要】
【発明が解決しようとする課題】
【００１０】
上記特許文献１では、前記箱内において複数個の収容物の動きを拘束していないが、満杯状態のときには前記収容物のそれぞれが箱内で収まりが良いものの、前記箱から複数個の収容物のうちの１つでも取り出すと、当該箱内で残りの収容物の収まりが良くないことになる。
【００１１】
一方、上記特許文献２では、前記包装用箱内に前記ツートックと前記シリンジとが比較的ゆとりを持つ状態で配置されているために、それらの一方を取り出す前でも収まりが良くない。しかも、前記包装用箱から前記ツートック（または前記シリンジ）を取り出すと、前記シリンジ（または前記ツートック）の収まりが良くないことが懸念される。また、前記ツートックと前記シリンジとを前記包装用箱の底面板上に直接載せているために、当該包装用箱が落下したときに前記ツートックと前記シリンジとに直接衝撃を受けることになり、好ましくない。
【００１２】
このような事情に鑑み、本発明は、扁平な長方体形状の収容物を縦置き姿勢で収まりが良く収納できるとともに、落下時などに受ける衝撃を緩衝できる包装体を提供することを目的としている。
【課題を解決するための手段】
【００１３】
本発明は、外箱内に保持枠を嵌め入れた構成でかつ前記保持枠に扁平な長方体形状の収容物を収納する構成の包装体であって、前記保持枠には、前記収容物がその横長幅狭な一側面を上向きにした縦置き姿勢で嵌め入れる孔が設けられており、また、前記外箱内の底面板から離すための支持脚が設けられている、ことを特徴としている。
【００１４】
この構成では、外箱とは別体の保持枠に収容物をその動きを制限するように収納できるようにしているから、前記外箱の開封前および開封後にかかわらず、当該外箱内における前記収容物の動きが制限されるようになって、当該収容物の収まりが良くなる。これにより、前記収容物への衝撃が緩衝されるようになる。
【００１５】
また、前記保持枠が前記外箱の底面板から離れた状態になっているので、本発明に係る包装体が落下したとしても、当該落下時の衝撃が吸収されるようになるとともに、当該衝撃が前記収容物に直接的に伝わりにくくなる。これにより、前記収容物が破損することが抑制されるようになる。
【００１６】
ところで、上記包装体において、前記孔は、前記縦置き姿勢の収容物が１つ嵌め入れられる大きさに設定された、構成とすることができる。また、上記包装体において、前記孔は、前記縦置き姿勢の収容物が２つ隣り合わせで嵌め入れられる大きさに設定された、構成とすることができる。
【００１７】
さらに、上記包装体において、前記保持枠は、前後に平行に離隔して対向配置される正面板と背面板との間に、天面板、中間板ならびに底面板が上下方向にそれぞれ平行に離隔して対向配置された構成とされ、前記孔は、前記天面板および前記中間板にそれぞれ設けられ、前記底面板は、前記保持枠を前記外箱内に嵌め入れた状態において前記外箱の底面板から浮いた状態にされた、構成とすることができる。
【００１８】
この構成では、前記保持枠の構成およびその孔の配置を特定している。この特定によって前記保持枠および前記孔が比較的簡易に製作されるものであって製作コストを抑制できることが明確になる。
【００１９】
また、上記包装体において、前記収容物は、その横長幅広な上面が開口されているとともに、当該開口の周縁に外向きに張り出す鍔部が設けられていて、前記開口が閉塞され、前記天面板の孔は、前記収容物の横長幅狭の一側面から見た外形に対応する形状に形成されかつ前記縦置き姿勢にした前記収容物の全体が前記中間板側に通過する状態で嵌め入れられる大きさに形成され、前記中間板の孔は、前記縦置き姿勢にした前記収容物の鍔部のみが前記底面板側に通過する状態で嵌め入れられる大きさおよび形状に形成された、構成とすることができる。
【００２０】
この構成では、前記天面板の孔が前記縦置き姿勢の収容物の全体を囲んで動きを拘束するようになる一方で、前記中間板の孔が前記収容物の鍔部を囲んで動きを拘束するようになるとともに、当該中間板の上面に前記縦置き姿勢の収容物の横長幅狭な下側の側面が載せられる状態になる。
【００２１】
これにより、前記保持枠に保持された収容物は前記外箱の底面板から浮いた状態になるとともに、前記外箱の左右の側面板から離れた状態になる。それによって前記包装体が落下したときの衝撃が前記保持枠で吸収されるようになるとともに、前記収容物に伝わりにくくなる。これにより、前記収容物が破損することが抑制されるようになる。
【００２２】
また、上記包装体において、前記天面板の左右両側には左上フラップおよび右上フラップが、また、前記中間板の左右両側には左下フラップおよび右下フラップがそれぞれ折り目を介して連設され、前記上下の左フラップおよび右フラップは、前記保持枠を前記外箱内に嵌め入れる際に、前記天面板および前記中間板に対して前記各折り目から上向きに折り曲げられるとともに、当該折り曲げに伴う弾性復元力によって前記外箱の長手方向の一端側の側面板および他端側の側面板に弾力を付与する状態で当接された、構成とすることができる。
【００２３】
この構成では、前記包装体の落下時に、前記保持枠による衝撃吸収作用と、前記上下の左フラップおよび右フラップの弾力付与によるクッション性との相乗作用でもって前記落下時の衝撃がさらに吸収されるようになるとともに、前記収容物に伝わりにくくなる。これにより、収容物の破損を抑制する効果が増すことになる。
【発明の効果】
【００２４】
本発明によれば、扁平な長方体形状の収容物を縦置き姿勢で収まり良く収納できるとともに、落下時などに受ける衝撃を緩衝できる包装体を提供することができる。
【図面の簡単な説明】
【００２５】
【図１】本発明に係る包装体の一実施形態を分解して示す斜視図である。
【図２】図１の包装体を上から見下ろした平面図である。
【図３】図２の（３）−（３）断面図である。
【図４】図１の外箱の平面展開図である。
【図５】図１の保持枠の平面展開図である。
【図６】図５の保持枠の組立手順を説明するための図である。
【図７】図１の保持枠を折り畳んだ状態を示す側面図である。
【図８】本発明に係る包装体の他の実施形態を示す分解斜視図である。
【図９】図８の包装体を上から見下ろした平面図である。
【図１０】図９の（１０）−（１０）断面図である。
【図１１】図８の外箱の平面展開図である。
【図１２】図８の保持枠の平面展開図である。
【図１３】図１２の保持枠の組立手順を説明するための工程図である。
【図１４】図８の保持枠を折り畳んだ状態を示す側面図である。
【発明を実施するための形態】
【００２６】
以下、本発明を実施するための最良の実施形態について添付図面を参照して詳細に説明する。
【００２７】
図１から図７に、本発明の一実施形態を示している。図中、１は包装体の全体を示している。
【００２８】
この包装体１は、外箱２と、保持枠３とを組み合わせた構成であって、収容物として１つのシリンジ４と、１つのバイアル瓶５と、１枚の添付文書６とを収納できるように構成されている。なお、添付文書６だけでなく、服薬指導箋等のような添付書類も収納されることがある。
【００２９】
シリンジ４は、扁平で上面が開口した長方体形状の胴部４１の横長幅広な上面開口を開封フィルム４２で閉塞するようにブリスターパックされた構成になっている。胴部４１の上面開口の周縁には、外向きに張り出す鍔部４３が設けられている。
【００３０】
このブリスターパックされたシリンジ４は、その開封フィルム４２を上に向けた横置き姿勢で取り扱われるようになっていて、その胴部４１の横長幅狭な一側面が上に向けられた縦置き姿勢で保持枠３内に収納されるようになっている。
【００３１】
外箱２および保持枠３は、共に、コートボールを所定形状に打ち抜いてから、折り曲げるとともに、所定部分を貼着して組み立てられる。
【００３２】
具体的に、まず、外箱２は、長方体形状で、その上面が開放された一般に知られた構成である。この外箱２は、正面板２１、背面板２２、底面板２３（正面側底面板２３ａ，背面側底面板２３ｂ）、左側面板２４、右側面板２５、左フラップ２６、右フラップ２７、蓋２８、差し込みフラップ２９を備えている。なお、外箱２の組み立て手順を簡単に説明すると、図４の展開図に示すように打ち抜いたコートボールを用意し、その正面板２１、背面板２２、底面板２３（正面側底面板２３ａ，背面側底面板２３ｂ）を順に折り目（符号省略）から折り曲げ、糊代板２２ａを右側面板２５に接着剤で貼り付けるだけでよい。
【００３３】
次に、保持枠３は、１つのシリンジ４を縦置き姿勢にして動きを拘束した状態で保持するとともに、１つのバイアル瓶５を立てた姿勢にして動きを拘束した状態で保持することができるように構成されていて、外箱２の内部空間に隙間なく合致した状態で嵌め入れられるようになっている。
【００３４】
この保持枠３は、長方体形状に形成されており、その長手方向両端面が開放された構成になっている。この保持枠３は、正面板３１と、背面板３２と、天面板３３と、中間板３４と、底面板３５と、正面側糊代板３６と、背面側糊代板３７とを備えている。
【００３５】
天面板３３の長手方向両端には、上大孔３３ａ、上小孔３３ｂが設けられているとともに、左上フラップ３３ｃ、右上フラップ３３ｄが設けられている。
【００３６】
中間板３４の長手方向両端には、下大孔３４ａ、下小孔３４ｂが設けられているとともに、右上フラップ３４ｃ、右下フラップ３４ｄが設けられている。
【００３７】
背面板３２の上端には、上向きに突出するガイド板３８が設けられている。このガイド板３８は、保持枠３を外箱２内に収納する前に、保持枠３の上大孔３３ａ内に添付文書６を差し入れたときにそれが外れて出てしまうことを防止するために設けられている。
【００３８】
正面板３１の下端には、底面板３５よりも下向きに突出する支持脚用の突片３５ｂが設けられており、背面板３２の下端は、底面板３５よりも下向きに張り出す支持脚用の張り出し部３２ａが設けられている。
【００３９】
天面板３３の上大孔３３ａおよび中間板３４の下大孔３４ａは、１つのシリンジ４を縦置き姿勢にして動きを拘束した状態で保持するための収納部として設けられている。
【００４０】
上大孔３３ａは、シリンジ４の横長幅狭の一側面から見た外形に対応する形状の主収納領域３３ａ１と、添付文書６を左右方向に位置決めして差し入れるための補助収納領域３３ａ２とを有している。
【００４１】
下大孔３４ａは、縦置き姿勢にしたシリンジ４の鍔部４３が所定の隙間を介して嵌め入れられる大きさおよび形状に形成されている。
【００４２】
なお、上大孔３３ａの主収納領域３３ａ１の左右両端の細幅凹部３３ａ３は、下大孔３４ａのそれよりも背面板３２寄りに配置されている。これは、上下の大孔３３ａ，３４ａ内にシリンジ４を縦置き姿勢で収納したときに、図３に示すように、シリンジ４の上端側を背面板３２に近づけるように傾かせるためである。このようにブリスターパックされたシリンジ４を傾かせたのは、添付文書６の収納高さとブリスターパックされたシリンジ４の収納高さとをある程度揃えるためである。但し、ブリスターパックされたシリンジ４は傾かせないようにしてもよい。
【００４３】
天面板３３の上小孔３３ｂおよび中間板３４の下小孔３４ｂは、１つのバイアル瓶５を立てた姿勢にして動きを拘束した状態で保持するための収納部として設けられている。上下の小孔３３ｂ，３４ｂの周囲には、折り曲げ可能な舌片３３ｅ，３４ｅが隣り合わせに設けられている。この上下の舌片３３ｅ，３４ｅの付け根には、折り目３３ｆ，３４ｆが設けられている。上下の小孔３３ｂ，３４ｂは、上下方向ならびに奥行方向で合致するように配置されている。
【００４４】
このような保持枠３の組み立て手順を説明する。
【００４５】
まず、図５の展開図に示すように打ち抜いたコートボールを用意する。このコートボールは、背面板３２に、天面板３３、正面板３１、底面板３５、背面側糊代板３７、中間板３４ならびに正面側糊代板３６が順に折り目ａ，ｂ，ｃ，ｄ，ｅ，ｆを介して連設されていて、天面板３３の左右両側に左上フラップ３３ｃおよび右上フラップ３３ｄが折り目ｇ，ｈを介して連設され、また、中間板３４の左右両側に左下フラップ３４ｃおよび右下フラップ３４ｄが折り目ｉ，ｊを介して連設されている。
【００４６】
なお、中間板３４の長手方向中間には、コ字状の切り込み３９ａが設けられており、この切り込み３９ａの一端縁から他端縁にかけて折り目３９ｂが設けられている。切り込み３９ａを下向きに折り曲げると、下向きの突っ張り柱部３９ｃおよび切り抜き孔（図示、符号省略）が作られることになり、突っ張り柱部３９ｃは底面板３５に接着剤で貼り付けられる（図３参照）。また、底面板３５において正面板３１との間の折り目ｃの近傍には、コ字状切り込み３５ａが長手方向に所定の間隔をおいて設けられている。このコ字状切り込み３５ａの一端縁および他端縁は底面板３５と正面板３１との間の折り目ｃ上に位置されており、また、コ字状切り込み３５ａの中間の長尺直線部分は底面板３５内に入り込んだ位置に配置されて折り目ｃと平行になるように配置されている。
【００４７】
そして、図６（ａ）に示すように、正面側糊代板３６を中間板３４に対して折り目ｆで谷折りし、図６（ｂ）に示すように、中間板３４を背面側糊代板３７に対して折り目ｅで山折りし、図６（ｃ）に示すように、背面側糊代板３７を底面板３５に対して折り目ｄで山折りし、図６（ｄ）に示すように、底面板３５を正面板３１に対して折り目ｃで山折りして、正面側糊代板３６を正面板３１の折り目ｂに沿うように接着剤で貼り付ける。続いて、図６（ｅ）に示すように、正面板３１を天面板３３に対して折り目ｂで山折りするとともに、図６（ｆ）に示すように、背面板３２を天面板３３に対して折り目ａで山折りして、背面側糊代板３７を背面板３２の自由端から所定寸法離隔した位置に沿うように接着剤で貼り付ける。
【００４８】
なお、図６（ｄ）に示すように、底面板３５を正面板３１に対して折り目ｃに沿って山折りした際に、底面板３５のコ字状切り込み３５ａが切り抜かれることになって、下向きの支持脚用の突片３５ｂおよび切り抜き孔３５ｃが作られることになる（図３参照）。なお、支持脚用の突片３５ｂは、正面板３１の下端縁に一直線状に連続している。また、図６（ｆ）に示すように、背面側糊代板３７を背面板３２に貼り付けるときに前記離隔していることから、当該離隔領域が支持脚用の張り出し部３２ａとなる。
【００４９】
このようにして保持枠３を組み立ててから、上から見下ろすと、天面板３３の上大孔３３ａ内に中間板３４の下大孔３４ａが露呈するようになるとともに、天面板３３の上小孔３３ｂと中間板３４の下小孔３４ｂとが合致するようになる。
【００５０】
このような保持枠３は、図７に示すように、背面板３２、天面板３３、正面板３１、底面板３５、中間板３４を重ね合わせるように、折り畳むことが可能になる。
【００５１】
次に、このように組み立てられた保持枠３を外箱２内に収納すると、保持枠３の上下の左フラップ３３ｃ，３４ｃおよび上下の右フラップ３３ｄ，３４ｄがそれぞれ上向きに谷折りされながら外箱２の左右の側面に当接することになる。
【００５２】
このとき、谷折りされた上下の左フラップ３３ｃ，３４ｃおよび上下の右フラップ３３ｄ，３４ｄは、その弾性復元力によって外箱２の左右の側面に向けて弾力が付与されるので、外箱２に対して保持枠３がタイトフィット状態で収納されることになる。そのため、保持枠３が外箱２内で収まりが良くなる。
【００５３】
しかも、保持枠３の支持脚用の突片３５ｂと張り出し部３２ａとによって、当該保持枠３が外箱２の底面板３５から浮いた状態で配置されることになる。
【００５４】
このように組み立てた包装体１に、シリンジ４とバイアル瓶５と添付文書６とを収納する様子を説明する。
【００５５】
まず、保持枠３の上下の大孔３３ａ，３４ａ内にシリンジ４を、その胴部４１の横長幅狭な一側面が上に向けられた縦置き姿勢（図１、図３参照）にした状態で嵌め入れる。
【００５６】
このとき、下大孔３４ａ内にシリンジ４の鍔部４３が嵌め入れられることになって、上大孔３３ａに胴部４１の横長幅狭な側面の外周部分が嵌め入れられるので、保持枠３の上下の大孔３３ａ，３４ａに対してシリンジ４がジャストフィット状態または僅かにルーズなフィット状態で収納されることになる。
【００５７】
その後、保持枠３の上下の大孔３３ａ，３４ａ内に幾重にも折り畳んだ添付文書６を差し入れると、当該添付文書６が折り畳みの弾性復元力で拡がってシリンジ４を保持枠３の上下の大孔３３ａ，３４ａの周縁所定領域に弾力をもって押し付けるように作用する。これにより、添付文書６がクッションのような働きをするので、シリンジ４が保持枠３の上下の大孔３３ａ，３４ａ内にクッション性をもったタイトフィット状態で収納されることになる。
【００５８】
このようにシリンジ４を上下の大孔３３ａ，３４ａ内に隙間の少ない状態で嵌め合わせたうえで、添付文書６の弾性復元力によるクッション性を付与することによる相乗作用でもって、保持枠３の上下の大孔３３ａ，３４ａ内でシリンジ４および添付文書６の動きが制限されることになるので、シリンジ４が収まり良く収納されるようになる。その結果、シリンジ４に悪影響が及ぶことを軽減できるようになる。
【００５９】
続いて、保持枠３の上下の小孔３３ｂ，３４ｂ内にバイアル瓶５を嵌め入れると、上下の小孔３３ｂ，３４ｂの周囲の各舌片３３ｅ，３４ｅがバイアル瓶５の外周面に当接することになる。
【００６０】
このとき、バイアル瓶５によって上下の舌片３３ｅ，３４ｅが折り目３３ｆ，３４ｆから下向きに折り曲げられることになって、上下の舌片３３ｅ，３４ｅの弾性復元力によってバイアル瓶５の外周面にそれぞれ弾力を付与する状態で当接されるために、保持枠３の上下の小孔３３ｂ，３４ｂ内にバイアル瓶５がクッション性をもったタイトフィット状態で収納されることになる。
【００６１】
これにより、保持枠３の上下の小孔３３ｂ，３４ｂ内でバイアル瓶５の動きが制限されることになるので、バイアル瓶５が収まり良く収納されるようになる。その結果、バイアル瓶５に悪影響が及ぶことを軽減できるようになる。
【００６２】
このようにした状態の包装体１が出荷されることになる。この包装体１は、万一、落下したとしても、保持枠３に外箱２の底面板２３から浮かすための支持脚用の突片３５ｂおよび張り出し部３２を設けているとともに、保持枠３に外箱２の左右の側面板２４，２５から離すための上下の左フラップ３３ｃ，３４ｃおよび上下の右フラップ３３ｄ，３４ｄを設けているので、それらによって前記落下時の衝撃が吸収されるようになるとともに、当該衝撃がシリンジ４およびバイアル瓶５に直接的に伝わりにくくなる。これにより、シリンジ４およびバイアル瓶５が破損することを抑制できるようになる。
【００６３】
そして、包装体１を開封するときには、外箱２の差し込みフラップ２９を取り出して、外箱２の蓋２８および左右のフラップ２６，２７を上向きに開けば、外箱２の内部が上面開口から露呈されることになる。この状態で、シリンジ４、バイアル瓶５、添付文書６のいずれかを掴んで上向きに引っ張れば、比較的簡単に取り出すことができる。
【００６４】
このとき、仮に、シリンジ４またはバイアル瓶５のいずれか一方を取り出しても、残されたものが収まり良く収納されるようになる。この状態で外箱２の蓋２８を閉じれば、保持枠３に保持された残りのものの収まりを良くすることが可能になる。
【００６５】
なお、本発明は、上記実施形態のみに限定されるものではなく、特許請求の範囲内および当該範囲と均等の範囲内で適宜に変更することが可能である。
【００６６】
（１）上記実施形態では、収容物として１つのシリンジ４と１つのバイアル瓶５と１枚の添付文書６とを収納する構成を例に挙げているが、本発明はこれのみに限定されるものではない。
【００６７】
例えば図８から図１４に本発明の他の実施形態を示している。この実施形態の包装体１は、収容物として２つのシリンジ４と、２つのバイアル瓶５と、１枚の添付文書６とを収納する構成になっている。
【００６８】
具体的に、この実施形態では、外箱２の奥行寸法（正面板２１と背面板２２との対向間寸法）および保持枠３の奥行寸法（正面板３１と背面板３２との対向間寸法）が上記実施形態のそれよりも大きく設定されている。また、保持枠３の上大孔３３ａにおける奥行寸法が上記実施形態のそれよりも大きく設定されている。さらに、保持枠３の天面板３３および中間板３４にそれぞれ第２小孔３３ｇ，３４ｇが追加して設けられていることが上記実施形態と異なる。その他の構成は、基本的に上記実施形態と同様になっている。
【００６９】
この実施形態の保持枠３であれば、図１０に示すように、上下の大孔３３ａ，３４ａ内に、２つのブリスターパックされたシリンジ４，４が縦置き姿勢にされるとともに、それらの開封フィルム４２，４２どうしが向き合うような状態で隣り合わせに収納されるようになっている。
【００７０】
そして、上大孔３３ａの主収納領域３３ａ１における左右両端の細幅凹部３３ａ３の幅寸法は、下大孔３４ａの幅寸法よりも大きく設定されているが、それらの幅方向中心は上下方向ならびに奥行方向で合致されている。但し、上大孔３３ａの主収納領域３３ａ１における左右両端の細幅凹部３３ａ３の幅寸法と下大孔３４ａの幅寸法とについては同じに設定することも可能である。
【００７１】
また、上小孔３３ｂを下小孔３４ｂよりも背面板３２側に近づけるようにオフセットして配置することにより、当該上下の小孔３３ｂ，３４ｂ内に嵌め入れられるバイアル瓶５の上端側を背面板３２側に近づけるように傾かせるようにして保持力を高めるようにしている。但し、上小孔３３ｂと下小孔３４ｂとについては、上下方向ならびに奥行方向で合致するように配置することも可能である。
【００７２】
なお、上下の第２小孔３３ｇ，３４ｇについては、上下方向ならびに奥行方向で合致するように配置されている。
【００７３】
この実施形態では、上記実施形態と基本的に同様の作用、効果が得られる。
【００７４】
例えば、保持枠３の上下の大孔３３ａ，３４ａ内に２つのシリンジ４，４を、縦置き姿勢でかつ開封フィルム４２，４２を向き合わせた状態で嵌め入れたときに、ジャストフィット状態または僅かにルーズなフィット状態で収納されることになり、さらに、上下の大孔３３ａ，３４ａ内に幾重にも折り畳んだ添付文書６を差し入れると、当該添付文書６が折り畳みの弾性復元力で拡がって前記２つのシリンジ４１４が保持枠３の上下の大孔３３ａ，３４ａの周縁所定領域に弾力をもって押し付けられることになるので、２つのシリンジ４，４が保持枠３の上下の大孔３３ａ，３４ａ内にクッション性をもったタイトフィット状態で収納されることになる。これにより、保持枠３の上下の大孔３３ａ，３４ａ内でシリンジ４および添付文書６の動きが制限されることになるので、２つのシリンジ４，４が収まり良く収納されるようになる。その結果、シリンジ４に悪影響が及ぶことを軽減できるようになる。
【００７５】
また、保持枠３の上下の小孔３３ｂ，３４ｂ内にバイアル瓶５を嵌め入れると、上下の小孔３３ｂ，３４ｂの周囲の各舌片３３ｅ，３４ｅがバイアル瓶５の外周面に当接することになる。
【００７６】
このとき、バイアル瓶５によって上下の舌片３３ｅ，３４ｅが折り目３３ｆ，３４ｆから下向きに折り曲げられることになって、上下の舌片３３ｅ，３４ｅの弾性復元力によってバイアル瓶５の外周面にそれぞれ弾力を付与する状態で当接されるために、保持枠３の上下の小孔３３ｂ，３４ｂ内にバイアル瓶５がクッション性をもったタイトフィット状態で収納されることになる。これにより、保持枠３の上下の小孔３３ｂ，３４ｂ内でバイアル瓶５の動きが制限されることになるので、バイアル瓶５が収まり良く収納されるようになる。その結果、バイアル瓶５に悪影響が及ぶことを軽減できるようになる。
【００７７】
さらに、保持枠３の上下の第２小孔３３ｇ，３４ｇ内にバイアル瓶５を嵌め入れると、上下の第２小孔３３ｇ，３４ｇの周囲の各舌片３３ｈ，３４ｈがバイアル瓶５の外周面に当接することになる。
【００７８】
このとき、バイアル瓶５によって上下の舌片３３ｈ，３４ｈが折り目３３ｉ，３４ｉから下向きに折り曲げられることになって、上下の舌片３３ｈ，３４ｈの弾性復元力によってバイアル瓶５の外周面にそれぞれ弾力を付与する状態で当接されるために、保持枠３の上下の第２小孔３３ｇ，３４ｇ内にバイアル瓶５がクッション性をもったタイトフィット状態で収納されることになる。これにより、保持枠３の上下の第２小孔３３ｇ，３４ｇ内でバイアル瓶５の動きが制限されることになるので、バイアル瓶５が収まり良く収納されるようになる。その結果、バイアル瓶５に悪影響が及ぶことを軽減できるようになる。
【００７９】
このようにした状態の包装体１が出荷されることになる。この包装体１は、万一、落下したとしても、保持枠３に外箱２の底面板２３から浮かすための支持脚用の突片３５ｂおよび張り出し部３２ａを設けているとともに、保持枠３に外箱２の左右の側面板２４，２５から離すための上下の左フラップ３３ｃ，３４ｃおよび上下の右フラップ３３ｄ，３４ｄを設けているので、それらによって前記落下時の衝撃が吸収されるようになるとともに、当該衝撃がシリンジ４およびバイアル瓶５に直接的に伝わりにくくなる。これにより、シリンジ４およびバイアル瓶５が破損することを抑制できるようになる。
【００８０】
そして、包装体１を開封するときには、外箱２の差し込みフラップ２９を取り出して、外箱２の蓋２８および左右のフラップ２６，２７を上向きに開けば、外箱２の内部が上面開口から露呈されることになる。この状態で、２つのシリンジ４，４、２つのバイアル瓶５，５、添付文書６のいずれかを掴んで上向きに引っ張れば、比較的簡単に取り出すことができる。
【００８１】
ところで、上記２つのシリンジ４，４の片方を取り外す場合には、正面板３１側のシリンジ４から取り外すようにすれば、残りのシリンジ４の鍔部４３が上下の大孔３３ａ，３４ａの主収納領域３３ａ１の左右両端の細幅凹部３３ａ３に添付文書６の弾性復元力によって押し付けられることになるので、残りのシリンジ４が収まり良く収納されるようになる。
【００８２】
（２）上記各実施形態において、図示していないが、バイアル瓶５を収納しない構成にすることも可能である。
【産業上の利用可能性】
【００８３】
本発明は、外箱内に保持枠を嵌め入れた構成でかつ前記保持枠に扁平な長方体形状の収容物を収納する構成の包装体に好適に利用することが可能である。
【符号の説明】
【００８４】
１  包装体
２  外箱
３  保持枠
３１  正面板
３２  背面板
３２ａ  支持脚用の張り出し部
３３  天面板
３３ａ  上大孔
３３ｂ  上小孔
３３ｃ  左上フラップ
３３ｄ  右上フラップ
３３ｅ  舌片
３３ｆ  折り目
３４  中間板
３４ａ  下大孔
３４ｂ  下小孔
３４ｃ  左下フラップ
３４ｄ  右下フラップ
３４ｅ  舌片
３４ｆ  折り目
３５  底面板
３５ａ  コ字状切り込み
３５ｂ  支持脚用の突片
３５ｃ  切り抜き孔
４  シリンジ
４１  胴部
４２  開封フィルム
４３  鍔部
５  バイアル瓶
６  添付文書
【図１】
2018030604.tif 000003
【図２】
2018030604.tif 000004
【図３】
2018030604.tif 000005
【図４】
2018030604.tif 000006
【図５】
2018030604.tif 000007
【図６】
2018030604.tif 000008
【図７】
2018030604.tif 000009
【図８】
2018030604.tif 000010
【図９】
2018030604.tif 000011
【図１０】
2018030604.tif 000012
【図１１】
2018030604.tif 000013
【図１２】
2018030604.tif 000014
【図１３】
2018030604.tif 000015
【図１４】
2018030604.tif 000016